(57)【要約】【課題】箸の剛性を破壊せず箸の付加価値である美感をアップする効果を持つ箸構造の提供。【解決手段】本考案の箸構造は、箸及び嵌合部品より構成され、その箸は挟み部及びボディ部を持ち、またそのボディ部には、嵌合部品を嵌入する為の嵌合溝を設けた箸構造を提供する。【選択図】図１
0003127888.tif 000002
【実用新案登録請求の範囲】
【請求項１】
箸及び嵌合部品を含む箸構造において、
その箸は、一端に挟み部を、もう一端にボディ部を設け、ボディ部の表面には嵌合溝を設けたものであり、
その嵌合部品は、ボディ部表面に設けた嵌合溝に嵌入するものであることを特徴とする箸構造。
【請求項２】
請求項１記載の箸構造において、前記ボディ部の表面単面には一つの嵌合溝を設け、その嵌合溝には嵌合部品を嵌入することを特徴とする箸構造。
【請求項３】
請求項１記載の箸構造において、前記ボディ部の表面両面にはそれぞれ一つの嵌合溝を設け、その嵌合溝には嵌合部品を嵌入することを特徴とする箸構造。
【請求項４】
請求項１記載の箸構造において、前記箸は竹製品であることを特徴とする箸構造。
【請求項５】
請求項１記載の箸構造において、前記箸は木製品であることを特徴とする箸構造。
【請求項６】
請求項１記載の箸構造において、前記箸は金属製品であることを特徴とする箸構造。
【請求項７】
請求項１記載の箸構造において、前記箸は耐熱プラスチック素材製品であることを特徴とする箸構造。
【請求項８】
請求項１記載の箸構造において、前記嵌合部品は竹製品であることを特徴とする箸構造。
【請求項９】
請求項１記載の箸構造において、前記嵌合部品は木製品であることを特徴とする箸構造。
【請求項１０】
請求項１記載の箸構造において、前記嵌合部品は金属製品であることを特徴とする箸構造。
【請求項１１】
請求項１記載の箸構造において、前記嵌合部品は耐熱プラスチック素材製品であることを特徴とする箸構造。
【考案の詳細な説明】
【技術分野】
【０００１】
本考案は箸構造に関するものであり、特に、食器技術領域に応用するものである。
【背景技術】
【０００２】
現在公知技術の箸構造は、図５に示すものであり、それは、箸10に挟み部11とボディ部12を設け、嵌合装飾部30の穿孔31は、箸10に設けた挟み部11に通し、並びに箸10に設けたボディ部12の末端に固定するものであり、これは箸で食物を挟む効果以外に美感を具えており、箸のもう一つの価値を向上させているが、嵌合装飾部30を箸10に通す過程において、挟み部11とボディ部12に接触摩擦することにより挟み部11とボディ部12の摩損が生じ易くなる欠点を持つ。
【０００３】
図６に、箸構造のもう一つの公知技術の参考図を示す。箸10には挟み部11とボディ部12を設け、ボディ部12の末端には固定孔121を設け、挿入装飾部40の挿入固定部41をボディ部12末端に設けた固定孔121に挿入、これにより挿入装飾部40とボディ部12を固定するが、ボディ部12末端に一つの固定孔121を穿設しなければならず、よって箸10の元来の剛性は弱くなり、また、箸10を長時間水に接触させると、固定孔121四方にひびが入り易くなる欠点を持つ。
【０００４】
また図７に、箸構造のもう一つの公知技術の参考図を示す。それは、箸10に挟み部11、ボディ部12及び箸後部13を設け、ボディ部12の末端には嵌合部122を設け、また箸後部13の前端にもまた嵌合部130を設け、挿入装飾部40両端に設けた嵌入孔42をそれぞれボディ部12末端に設けた嵌合部122及び箸後部13前端に設けた嵌合部130に相互嵌合固定するものであり、箸に美感を加える効果を達成するが、製造プロセスは繁雑で、コストもアップするという欠点を持つ。
【考案の開示】
【考案が解決しようとする課題】
【０００５】
本考案は箸の加工プロセスでの箸の剛性低下を改善、箸の付加価値である美感をアップさせる。
【０００６】
本考案の箸、嵌合部品により構成される箸構造において、箸は、挟み部及びボディ部を持ち、そのボディ部には嵌合部品を入れる嵌合溝を設けたものである、箸構造を提供する。
【課題を解決するための手段】
【０００７】
請求項１の考案は、箸及び嵌合部品を含む箸構造において、
その箸は、一端に挟み部を、もう一端にボディ部を設け、ボディ部の表面には嵌合溝を設けたものであり、
その嵌合部品は、ボディ部表面に設けた嵌合溝に嵌入するものであることを特徴とする箸構造としている。
請求項２の考案は、請求項１記載の箸構造において、前記ボディ部の表面単面には一つの嵌合溝を設け、その嵌合溝には嵌合部品を嵌入することを特徴とする箸構造としている。
請求項３の考案は、請求項１記載の箸構造において、前記ボディ部の表面両面にはそれぞれ一つの嵌合溝を設け、その嵌合溝には嵌合部品を嵌入することを特徴とする箸構造としている。
請求項４の考案は、請求項１記載の箸構造において、前記箸は竹製品であることを特徴とする箸構造としている。
請求項５の考案は、請求項１記載の箸構造において、前記箸は木製品であることを特徴とする箸構造としている。
請求項６の考案は、請求項１記載の箸構造において、前記箸は金属製品であることを特徴とする箸構造としている。
請求項７の考案は、請求項１記載の箸構造において、前記箸は耐熱プラスチック素材製品であることを特徴とする箸構造としている。
請求項８の考案は、請求項１記載の箸構造において、前記嵌合部品は竹製品であることを特徴とする箸構造としている。
請求項９の考案は、請求項１記載の箸構造において、前記嵌合部品は木製品であることを特徴とする箸構造としている。
請求項１０の考案は、請求項１記載の箸構造において、前記嵌合部品は金属製品であることを特徴とする箸構造としている。
請求項１１の考案は、請求項１記載の箸構造において、前記嵌合部品は耐熱プラスチック素材製品であることを特徴とする箸構造としている。
【考案の効果】
【０００８】
本考案の箸構造は、箸の剛性を破壊せず、更に箸の付加価値である美感を高める効果を持つことを特徴とする。
【考案を実施するための最良の形態】
【０００９】
図１から図３に、本考案の箸構造の立体組立て、分解及び断面状態見取図を示す。箸10及び嵌合部品20を含む箸構造において、
その箸10は、その一端に挟み部11を、もう一端にボディ部12を設け、ボディ部12の表面には嵌合溝120を設けたものであり、
その嵌合部品20は、ボディ部12表面に設けた嵌合溝120に嵌入するものであり、
上述構造の組み合わせにより、本考案の箸構造が完成する。
【００１０】
また、図４に、本考案箸構造の別の実施例参考図を示す。その全体構造は本考案と同様であるが、箸10のボディ部12の対称となる位置表面にそれぞれ嵌合溝120を設け、嵌合部品20をボディ部12に嵌合固定して、全体における付加価値を増加している。
【図面の簡単な説明】
【００１１】
【図１】本考案の立体組立て図である。
【図２】本考案の立体分解図である。
【図３】本考案の断面図である。
【図４】本考案のもう一つの実施例図である。
【図５】公知技術の参考図である。
【図６】公知技術の別の参考図である。
【図７】公知技術のもう一つの参考図である。
【符号の説明】
【００１２】
１０      箸
１１      挟み部
１２      ボディ部
１２０    嵌合溝
１２１    固定孔
１２２    嵌合部
１３      箸後部
１３０    嵌合部
２０      嵌合部品
３０      嵌合装飾部
３１      穿孔
４０      挿入装飾部
４１      挿入固定部
４２      嵌入孔
【図１】
0003127888.tif 000003
【図２】
0003127888.tif 000004
【図３】
0003127888.tif 000005
【図４】
0003127888.tif 000006
【図５】
0003127888.tif 000007
【図６】
0003127888.tif 000008
【図７】
0003127888.tif 000009